【手続補正書】
【提出日】平成16年2月23日(2004.2.23)
【手続補正１】
【補正対象書類名】明細書
【補正対象項目名】発明の名称
【補正方法】変更
【補正の内容】
【発明の名称】音楽再生装置、音楽配信装置及び記録媒体
【手続補正２】
【補正対象書類名】明細書
【補正対象項目名】特許請求の範囲
【補正方法】変更
【補正の内容】
【特許請求の範囲】
【請求項１】
曲を再生する再生手段を備えた音楽再生装置において、
前記再生手段に曲を再生させたときに、当該曲に関する情報と共に、当該曲が再生された際の状況を表す情報を記録する情報記録手段と、
前記情報記録手段が記録した情報に基づいて、現在の状況に対応する曲を推測して自動選択する自動選択手段と、
前記自動選択手段により自動選択された曲を前記再生手段に再生させる制御手段と、
を具備したことを特徴とする音楽再生装置。
【請求項２】
曲を再生する再生手段を備えた音楽再生装置から送信された情報を受信し、該受信した情報に基づいて前記音楽再生装置へ曲を配信する装置であって、
前記音楽再生装置から送信される曲に関する情報と当該曲が再生された際の状況を表す情報とを記録する情報記録手段と、
前記音楽再生装置からの配信要求に応答し、現在の状況および前記情報記録手段に記録されている情報に基づいて、配信すべき曲を推測して自動選択する自動選択手段と、
前記自動選択手段が選択した曲を表す情報を前記音楽再生装置へ配信する送信手段と、
を具備したことを特徴とする音楽配信装置。
【請求項３】
前記状況とは、場所、日時、天候、再生回数の少なくとも１つを示し、
前記自動選択時には、過去に聴かれたことのある曲群と過去に聴かれたことのない曲群とから、それぞれ異なる推測方法で別々に曲を選択する、
ことを特徴とする請求項１、または２記載の装置。
【請求項４】
コンピュータに、
曲を再生する再生処理と、
前記再生処理にて曲を再生させたときに、当該曲に関する情報と共に、当該曲が再生された際の状況を表す情報を記録手段に記録する情報記録処理と、
前記記録手段に記録された情報に基づいて、現在の状況に対応する曲を推測して自動選択する自動選択処理と、
前記自動選択処理により自動選択された曲を前記再生処理にて再生させる制御処理と、
を実行させるためのプログラムを記録したコンピュータ読み取り可能な記録媒体。
【請求項５】
コンピュータに、
曲を再生する再生手段を備えた音楽再生装置から送信された情報を受信する受信処理と、
前記受信処理にて受信された前記音楽再生装置から送信された曲に関する情報と当該曲が再生された際の状況を表す情報とを記録手段に記録する情報記録処理と、
前記音楽再生装置からの配信要求に応答し、現在の状況および前記記録手段に記録されている情報に基づいて、配信すべき曲を推測して自動選択する自動選択処理と、
前記自動選択処理にて選択された曲を表す情報を前記音楽再生装置へ配信する送信処理と、
を実行させるためのプログラムを記録したコンピュータ読み取り可能な記録媒体。
【請求項６】
前記状況とは、場所、日時、天候、再生回数の少なくとも１つを示し、
前記自動選択時には、過去に聴かれたことのある曲群と過去に聴かれたことのない曲群とから、それぞれ異なる推測方法で別々に曲を選択する、
ことを特徴とする請求項４、または５記載の記録媒体。
【手続補正３】
【補正対象書類名】明細書
【補正対象項目名】０００６
【補正方法】変更
【補正の内容】
【０００６】
【課題を解決するための手段】
本発明の第１の態様の音楽再生装置は、曲を再生する再生手段を備えていることを前提とし、再生手段に曲を再生させたときに、当該曲に関する情報と共に、当該曲が再生された際の状況を表す情報を記録する情報記録手段と、情報記録手段が記録した情報に基づいて、現在の状況に対応する曲を推測して自動選択する自動選択手段と、自動選択手段により自動選択された曲を再生手段に再生させる制御手段と、を具備する。


【手続補正４】
【補正対象書類名】明細書
【補正対象項目名】０００７
【補正方法】変更
【補正の内容】
【０００７】
本発明の第２の態様の音楽配信装置は、曲を再生する再生手段を備えた音楽再生装置から送信された情報を受信し、該受信した情報に基づいて音楽再生装置へ曲を配信することを前提とし、音楽再生装置から送信される曲に関する情報と当該曲が再生された際の状況を表す情報とを記録する情報記録手段と、音楽再生装置からの配信要求に応答し、現在の状況および情報記録手段に記録されている情報に基づいて、配信すべき曲を推測して自動選択する自動選択手段と、自動選択手段が選択した曲を表す情報を音楽再生装置へ配信する送信手段と、を具備する。


【手続補正５】
【補正対象書類名】明細書
【補正対象項目名】０００８
【補正方法】変更
【補正の内容】
【０００８】
本発明の第１の態様の記録媒体は、曲を再生する再生処理と、再生処理にて曲を再生させたときに、当該曲に関する情報と共に、当該曲が再生された際の状況を表す情報を記録手段に記録する情報記録処理と、記録手段に記録された情報に基づいて、現在の状況に対応する曲を推測して自動選択する自動選択処理と、自動選択処理により自動選択された曲を再生処理にて再生させる制御処理と、をコンピュータが読み取り実行可能なプログラムを記録している。


【手続補正６】
【補正対象書類名】明細書
【補正対象項目名】０００９
【補正方法】変更
【補正の内容】
【０００９】
本発明の第２の態様の記録媒体は、曲を再生する再生手段を備えた音楽再生装置から送信された情報を受信する受信処理と、受信処理にて受信された音楽再生装置から送信された曲に関する情報と当該曲が再生された際の状況を表す情報とを記録手段に記録する情報記録処理と、音楽再生装置からの配信要求に応答し、現在の状況および記録手段に記録されている情報に基づいて、配信すべき曲を推測して自動選択する自動選択処理と、自動選択処理にて選択された曲を表す情報を音楽再生装置へ配信する送信処理と、をコンピュータが読み取り実行可能なプログラムを記録している。


【手続補正７】
【補正対象書類名】明細書
【補正対象項目名】００１０
【補正方法】変更
【補正の内容】
【００１０】
なお、上記の構成において、状況とは、場所、日時、天候、再生回数の少なくとも１つを示し、自動選択時には、過去に聴かれたことのある曲群と過去に聴かれたことのない曲群とから、それぞれ異なる推測方法で別々に曲を選択する、ことが望ましい。
【手続補正８】
【補正対象書類名】明細書
【補正対象項目名】００１１
【補正方法】削除
【補正の内容】
【手続補正９】
【補正対象書類名】明細書
【補正対象項目名】００１２
【補正方法】削除
【補正の内容】
【手続補正１０】
【補正対象書類名】明細書
【補正対象項目名】００１３
【補正方法】変更
【補正の内容】
【００１３】
本発明では、ユーザによって曲が再生されたときの状況に関する情報を曲の情報と共に記録しておき、そのようにして記録した情報とユーザが置かれている現在の状況とを解析することにより、ユーザが所望する曲を推測し自動選択して提供する。そのように、再生させる曲を自動選択することから、ユーザ自身が再生させる曲を選択する手間が不要となって利便性が向上し、ユーザは多くの曲のなかからでも所望する曲を容易に聴けるようになる。


【手続補正１１】
【補正対象書類名】明細書
【補正対象項目名】０１３４
【補正方法】変更
【補正の内容】
【０１３４】
【発明の効果】
以上説明したように、本発明では、ユーザによって曲が再生されたときの状況に関する情報を曲の情報と共に記録しておき、そのようにして記録した情報とユーザが置かれている現在の状況とを解析することにより、ユーザが所望する曲を推測し自動選択して提供する。そのため、ユーザ自身が再生させる曲を選択する手間が不要となって利便性が向上し、ユーザは多くの曲のなかからでも所望する曲を容易に聴くことができる。